(57)【要約】【課題】構造が簡単でコンパクトであり、メンテナンスを要しない空気清浄機を提供する。【解決手段】可視光応答型光触媒を担持した多孔質担体２０を充填した充填体３０と、充填体３０の側方に設置された囲い４０と、囲いの上面側および下面側のうちいずれか一方に位置する吸気部５０と、囲いの上面側および下面側のうちいずれか他方に位置する排気部６０と、囲いの吸気部５０側に設置された送風機７０を有する空気清浄機１を設計する。この空気清浄機１では、紫外線照射手段を設置することなく、優れた空気清浄性能を実現できる。【選択図】図１
2019032105.tif 000002
【特許請求の範囲】
【請求項１】
可視光応答型光触媒を担持した多孔質担体を充填した充填体と、
前記充填体を囲う囲いと、
前記充填体に送風する送風機と、を有する、
ことを特徴とする空気清浄機。
【請求項２】
可視光応答型光触媒を担持した多孔質担体を充填した充填体と、
前記充填体の側方を囲う囲いと、
前記囲いの上面側および下面側のうちいずれか一方に位置する吸気部と、
前記囲いの上面側および下面側のうちいずれか他方に位置する排気部と、
前記囲いの吸気部側に設置された送風機と、を有する、
ことを特徴とする空気清浄機。
【請求項３】
前記可視光応答型光触媒は、生体融合型光触媒であることを特徴とする請求項１または請求項２に記載の空気清浄機。
【請求項４】
前記可視光応答型光触媒は、シルクを含有するアパタイトを被覆した酸化チタンであることを特徴とする請求項１〜３のいずれか１項に記載の空気清浄機。
【請求項５】
前記可視光応答型光触媒の平均粒径は、３０ｎｍ以上５００ｎｍ以下であることを特徴とする請求項１〜４に記載の空気清浄機。
【請求項６】
前記多孔質担体は、発泡ガラスであることを特徴とする請求項１〜５のいずれか１項に記載の空気清浄機。
【請求項７】
前記発泡ガラスは、アパタイトを含有することを特徴とする請求項１〜６のいずれか１項に記載の空気清浄機。
【請求項８】
前記発泡ガラスは、ガラスと貝殻の混合物を焼成して得られることを特徴とする請求項６または請求項７に記載の空気清浄機。
【請求項９】
前記充填体は、前記多孔質担体を網状の袋に充填することと特徴とする請求項１〜８のいずれか１項に記載の空気清浄機。
【請求項１０】
前記充填体は、複数を前記送風機の送風方向に沿って直列に配置することを特徴とする請求項１〜９のいずれか１項に記載の空気清浄機。
【請求項１１】
前記囲いは、板状またはシート状とすることを特徴とする請求項１〜１０のいずれか一項に記載の空気清浄機。
【請求項１２】
前記囲いは、透明または半透明とすることを特徴とする請求項１〜１１のいずれか１項に記載の空気清浄機。
【請求項１３】
前記囲いは、前記充填体を、開口を設けた格子状の柵体を介して囲うことを特徴とする請求項１〜１２のいずれか１項に記載の空気清浄機。
【請求項１４】
前記囲いは、上面側および下面側が開口するとともに、
前記柵体は、前記囲いの上面側および下面側の少なくともいずれか一方から露出し、前記柵体の開口を介して通気可能に形成されることを特徴とする請求項１３に記載の空気清浄機。
【請求項１５】
組立可能とすることを特徴とする請求項１〜１４のいずれか１項に記載の空気清浄機。
【発明の詳細な説明】
【技術分野】
【０００１】
本発明は、空気清浄機に関する。
【背景技術】
【０００２】
酸化チタン等の酸化物半導体型光触媒では、光誘起電荷分離によって光触媒表面に強力な酸化力、還元力が生じるため、有機物や細菌等を二酸化炭素や水に分解できることが知られている。そのため、これらの光触媒を適用した高性能の空気清浄機が提案されている。
【０００３】
特許文献１には、一方に空気流入口と他方に空気排気口を設けた容器本体と、容器本体の空気流入口から空気排気口への風路中に設けられた多孔質炭化ケイ素構造体に光触媒を担持した光触媒フィルターと、光触媒フィルターに紫外線エネルギーを供給する紫外線照射手段と、容器本体を送風機の空気吹き出し口に装着可能とする係止具と、を有する取り付け型空気清浄機が開示されている。この構造の空気清浄機は、送風機等に簡便に取り付けることができ、且つ、光触媒が担体表面に安定的に固定されることが記載されている。
【０００４】
特許文献１では、光触媒として、酸化チタンの他、酸化亜鉛、酸化セリウム、酸化テルビウム、酸化マグネシウム、硫化カドミウム、セレン化カドミウム等が挙げられている。そして、紫外線照射手段であるＬＥＤランプの光を光触媒フィルターに照射することにより、空気中に含まれる悪臭の原因物質、ウイルス等の浮遊菌、花粉、タバコの煙等の光触媒により分解されることが記載されている。
【先行技術文献】
【特許文献】
【０００５】
【特許文献１】実用新案登録第３２０７９３８号公報
【発明の概要】
【発明が解決しようとする課題】
【０００６】
上述のとおり、特許文献１の空気清浄機では、光触媒により有機物の分解が可能であるが、そのためには、紫外線を照射するための紫外線照射手段を設置する必要がある。このため、空気清浄機の構造が複雑となり、コストが上昇するのみならず、優れた空気清浄機能を維持するためには、紫外線照射手段のメンテナンス等が必要となる。
【０００７】
そこで、本発明は、構造が簡単でコンパクトであり、メンテナンスを要しない空気清浄機を提供することを目的とする。
【課題を解決するための手段】
【０００８】
上記課題に鑑み鋭意研究の結果、本発明者は、光触媒として可視光応答型光触媒を用いて、空気清浄機の構造を最適化することにより、上記課題を解決できることを見出し、本発明に想到した。すなわち、本発明の空気清浄機は、可視光応答型光触媒を担持した多孔質担体を充填した充填体と、上記充填体を囲う囲いと、上記充填体に送風する送風機と、を有することを特徴とする。
【０００９】
また、本発明の空気清浄機は、可視光応答型光触媒を担持した多孔質担体を充填した充填体と、上記充填体の側方を囲う囲いと、上記囲いの上面側および下面側のうちいずれか一方に位置する吸気部と、上記囲いの上面側および下面側のうちいずれか他方に位置する排気部と、上記囲いの吸気部側に設置された送風機を有することを特徴とする。
【発明の効果】
【００１０】
本発明によれば、構造が簡単でコンパクトであり、メンテナンスを要しない空気清浄機を提供することができる。
【図面の簡単な説明】
【００１１】
【図１】本発明の一実施形態における空気清浄機の構造を示す斜視図である。
【図２】図１に示す空気清浄機の構造を示す正面図である。
【図３】図１に示す空気清浄機の平面図である。
【図４】図１に示す空気清浄機の底面図である。
【図５】図１に示す空気清浄機の各構成部材を分解した正面図であり、（ａ）は囲いの正面図、（ｂ）は側面側に配置される柵体の正面図、（ｃ）は送風機の正面図、（ｄ）は送風機の上面側に配置される柵体の正面図、（ｅ）は前記柵体の上面側に配置される案内板、（ｆ）は、充填体の正面図、（ｇ）は充填体の上方側に配置される柵体の正面図である。
【図６】図１に示す空気清浄機の充填体の正面図で、（ａ）は充填される多孔質担体の正面図、（ｂ）は多孔質担体を充填する袋の正面図である。
【図７】図１に示す空気清浄機の柵体の詳細を示す図で、（ａ）は上面側に配置される柵体の平面図、（ｂ）は側面側に配置される柵体の正面図、（ｃ）は下面側に配置される柵体の平面図である。
【図８】図１に示す空気清浄機の囲いの詳細を示す正面図である。
【図９】図１の空気清浄機における送風機の一例を示す図で、（ａ）は平面図、（ｂ）は送風機の上面側に配置される柵体を示す平面図、（ｃ）は送風機の上面側に柵体を配置した状態を示す平面図、（ｄ）は案内板の平面図、（ｅ）は案内板を前記柵体の上面側に配置した状態を示す平面図である。
【図１０】図１の空気清浄機における連結部材の一例を示す図で、（ａ）は側面図、（ｂ）は平面図である。
【図１１】図１の空気清浄機における囲い、柵体、案内板、送風機を畳んだ状態を示す図である。
【図１２】図１に示す空気清浄機の組み立て方法の最初の状態を示す正面図である。
【図１３】図１に示す空気清浄機の組み立て方法の図１２の次の状態を示す正面図である。
【図１４】図１に示す空気清浄機の組み立て方法の図１３の次の状態を示す正面図である。
【図１５】本発明の一実施形態において可視光応答型光触媒として用いられるシルク粉末含有アパタイト被覆二酸化チタンの模式図である。
【図１６】本発明の一実施形態において多孔質担体として用いられる発泡ガラスの模式図である。
【図１７】本発明の変形例に係る空気清浄機の正面図である。
【発明を実施するための形態】
【００１２】
以下、図面を参照して、本発明の実施形態を詳細に説明する。
【００１３】
図１、図２、図３、図４、および図５は、それぞれ、本発明の一実施形態による空気清浄機の構造を示す斜視図、正面図、平面図、底面図、および分解図、図６は、充填体の正面図、図７は、柵体の詳細を示す図、図８は、囲いの詳細を示す正面図、図９は、送風機の一例を示す図、図１０は、連結部材の一例を示す図である。
【００１４】
図１乃至図１０に示すように、空気清浄機１は、主に充填体３０、柵体３５、囲い４０、送風機７０からなり、充填体３０は、空気清浄機１の内部に設置されている。充填体３０は、光触媒２１が担持された多孔質担体２０を充填した構成となっている。  
【００１５】
充填体３０は、図６に示すように、袋３１に多孔質担体２０を充填して得られる。袋３１は、網状に形成されており網形状に対応する形状の多数の開口３２が設けられている。袋３１は、開口３２を介して通気可能となっており、充填される多孔質担体２０に開口３２を介して空気を供給することができる。袋３１は、例えば、市販の洗濯用ネットが用いられる。
【００１６】
充填体３０は、格子状の柵体３５内に入れられており、柵体３５は、６枚の柵状体３６からなる。つまり、充填体３０は、前方、後方、左右側方、上方、下方の六面を柵状体３６に囲まれている。柵状体３６は、表面を樹脂等でコーティングした針金状の金属を格子状に形成して得られており、図７に示すように、格子形状に対応する形状の多数の開口３７が設けられている。柵体３５は、開口３７を介して通気可能となっており、柵体３５の内部空間に収納される充填体３０に開口３７を介して空気を供給することができる。
【００１７】
柵体３５の外側面には、囲い４０が設置されており、囲い４０は、図８に示すように、４枚の板状体４１からなる。板状体４１は、表面を樹脂等でコーティングした針金状の金属を枠体４２とし、枠体４２に板材４３を装着して形成されている。板状体４１の隅部４４は板材４３が円弧状に欠けた状態となっており、枠体４２が隅部４４から露出している。
【００１８】
充填体３０は、柵体３５を介してその側方側の４面を囲い４０に囲われている。そして、囲い４０の下面側には、吸気部５０が設けられ、囲い４０の上面側には、排気部６０が設けられている。なお、囲い４０は、充填体３０の側面のみに設置されている。
【００１９】
ここで、囲い４０の上面および下面は開放された状態となっている。囲い４０の下側面側では、囲い４０の下端から柵体３５が露出して、柵体３５の開口３７を介して通気可能に形成されている。つまり、この露出した部分が吸気部５０を形成する。また、充填体３０と吸気部５０との間には、送風機７０が設置されている。
【００２０】
本実施形態の送風機７０は、図４および図９に示すように、回転軸７１と回転軸７１に連結する旋回羽根７２を備え、枠体７３内に設置されている。送風機７０は、柵体３５内に設置されるときは、送風機７０の上面側に、柵体３５の下方側に配置する柵状体３６を設け、更に該柵状体３６の上面側に案内板７４を設ける。案内板７４は、外形が矩形状をなし、その中央を円形にくり抜かれて形成されている。送風機７０からの空気は、案内板７４のくり抜き部７４ａを介して充填体３０に無駄なく案内されるように送られる。送風機７０は、図１０に示す連結部材７５により柵体３５に適宜連結される。
【００２１】
なお、送風機７０の構成は、吸気部５０側の空気を吸い込み、排気部６０側に送ることができるものであれば、特に限定されない。送風機７０には、例えば、市販の換気扇を用いることができる。
【００２２】
本発明の空気清浄機１では、送風機７０を起動させることにより、回転軸７１を中心に旋回羽根７２が回転し充填体３０に送風することができる。つまり、送風機７０を起動させることにより、吸気部５０側の空気が吸い込まれ、光触媒２１が担持された多孔質担体２０が充填されている充填体３０を通過して、排気部６０から排出される。図１および図２では、空気の流れは、下側から上側に向かう。
【００２３】
空気が充填体３０を通過するとき、充填体３０に充填された多孔質担体２０に担持された光触媒２１と接触する。ここで、本発明の光触媒２１は、可視光応答型光触媒であるため、外部の光が多孔質担体２０に担持された光触媒２１に到達することにより、紫外線照射手段を用いることなく、光触媒２１の表面が光励起し、強い酸化力が生じる。このため、光触媒２１と接触した空気中に含まれる汚染物質である有機物は、光触媒２１上で水や二酸化炭素に分解し、充填体３０の通過後に空気は浄化される。
【００２４】
ここで、外部の光を光触媒２１に効果的に到達させるためには、囲い４０つまり板材４３の材料としては、透明又は半透明な材料を用いることが好ましい。本実施形態において、板材４３の材料としては、半透明のアクリル板または樹脂板を用いているが、外部の光より詳しくは紫外線が光触媒２１に到達して、光触媒２１が光励起する材料であれば、特に、材料は限定されない。
【００２５】
また、本実施形態において、囲い４０は水平断面が矩形状より詳しくは正方形である。このような囲い４０は、例えば、矩形状（正方形）の４枚の板材４３の隅部４４において、図１０に示す連結部材４５により露出した枠体４２を適宜連結することにより得られる。ここで、囲い４０の形状は断面正方形に限定されず、空気清浄機１の設置場所等に応じて、断面円形や多角形等適宜設計することができる。囲い４０は、板状体４１を用いて形成されているため、４枚の板状体４１を１つに重ね合わせるように簡単に畳むことができる。なお、囲い４０は、長方形（矩形）の板材を曲げ加工等により、３か所を９０°曲げていくことにより得られることとしてもよい。
【００２６】
更に、本実施形態において、柵体３５は略立方体形状である。このような柵体３５は、例えば、６枚の柵状体３６からなる。柵状体３６は、外形が矩形状（正方形）でかつ囲い４０の板状体４１と同等の外形形状および同等の外形寸法となっており、開口３７を有する格子状となっている。柵体３５は、６枚の柵状体３６の端部を図１０に示す連結部材３８により適宜連結することにより得られる。上方の柵状体３６は、側方の柵状体３６の上から２段目の格子の位置に連結され、下方の柵状体３６は、側方の柵状体３６の下から４段目の格子の位置に連結されている。ここで、柵体３５の形状は立方体形状に限定されず、空気清浄機１の設置場所等に応じて、直方体形状や球形、多角形等適宜設計することができる。
【００２７】
柵体３５は、柵状体３６を用いて形成されているため、６枚の柵状体３６を１つに重ね合わせるように簡単に畳むことができる。柵体３５、囲い４０、送風機７０、案内板７４は、図１１に示すように、一つに重ね合わせるように畳むことができる。なお、柵体３５は、一枚の柵状体３６を曲げ加工等により、９０°曲げていくことにより得られることとしてもよい。
【００２８】
本実施形態の空気清浄機１は、容易に組み立てることができる。すなわち、空気清浄機１は、図１２に示すように、柵体３５を連結部材３８を用いて立方体形状に形成しつつ、図１３に示すように、柵体３５の外面側に囲い４０を連結部材４５を用いながら取り囲むように配置し、図１４に示すように、柵体３５の内部空間に送風機７０を案内板７４とともに連結部材７５を用いて連結しながら収納し、更に図１に示すように、送風機７０の上面側であって柵体３５の内部空間に充填体３０を載置し形成される。
【００２９】
なお、本実施形態にあっては、連結部材３８，４５，７５は、結束バンドが用いられている。結束バンドは、図１０に示すように、頭部３８ａ，４５ａ，７５ａと長尺部３８ｂ，４５ｂ，７５ｂからなり、長尺部３８ｂ，４５ｂ，７５ｂを頭部３８ａ，４５ａ，７５ａの貫通穴３８ｃ，４５ｃ，７５ｃに挿入して使用することができる。長尺部３８ｂ，４５ｂ，７５ｂを頭部３８ａ，４５ａ，７５ａの平坦側３８ｄ，４５ｄ，７５ｄから挿入することにより抜けづらくなり固定することができる。一方、長尺部３８ｂ，４５ｂ，７５ｂを頭部３８ａ，４５ａ，７５ａの突出側３８ｅ，４５ｅ，７５ｅから挿入することにより抜き差し可能となり仮止めに用いることができる。
【００３０】
このように形成された空気清浄機１は、単に充填体３０（網状の袋３１）、柵体３５、囲い４０、送風機７０からなる簡単な構成であるため、埃や塵等により汚れた場合にあっても簡単に洗浄することができる。洗浄は、水洗の他、掃除機等を用いて埃や塵等を吸い込むこととしてもよい。
【００３１】
以下に、本発明の光触媒２１と光触媒２１を担持する多孔質担体２０について詳細に説明する。
【００３２】
（１）光触媒２１
本発明では、光触媒２１は、可視光応答型光触媒を用いる。可視光応答型光触媒としては、特に限定されないが、生体融合型光触媒、より詳しくはシルクを含有するアパタイトを被覆した二酸化チタン、更に詳しくはシルク粉末含有アパタイト被覆二酸化チタンを用いることが好ましい。
【００３３】
図１５に、本発明の一実施形態において可視光応答型光触媒として用いられるシルク粉末含有アパタイト被覆二酸化チタンの模式図を示す。表面にシルク粉末２１１が分散したリン酸カルシウム（アパタイト）粉末２１２が、二酸化チタン（酸化チタン）より詳しくは二酸化チタン（酸化チタン）粉末２１３の表面に分散している。すなわち、二酸化チタン粉末２１３の表面は、リン酸カルシウム粉末２１２で被覆され、さらに、リン酸カルシウム粉末２１２の表面は、シルク粉末２１１で被覆されている。
【００３４】
上記シルク粉末含有アパタイト被覆二酸化チタンは、以下のようにして製造することができる。繭を塩水で煮込んだ後、不純物を取り除いて、高分子のシルク成分を抽出する。得られた粉末をシルク粉末２１１として、リン酸カルシウム（アパタイト）に対して、０．１〜５質量％の割合で添加して混合することにより、シルク粉末含有アパタイト粉末を得る。二酸化チタン粉末２１３にシルク粉末含有アパタイト粉末を被覆することにより、シルク粉末含有アパタイト被覆二酸化チタンを得る。
【００３５】
なお、シルク粉末含有アパタイト被覆二酸化チタンの市販品としては、トリニティＺ、トリニティ０１（いずれも株式会社環境保全研究所製）等が挙げられる。トリニティＺは、シルク粉末含有アパタイト被覆二酸化チタンを液中に分散させており、霧吹き等を用いて多孔質担体２０に容易に吹き付けることができる。シルク粉末含有アパタイト被覆二酸化チタンは、防腐剤としても使用されており仮に体内に吸収された場合にあっても人体への影響は少ない。
【００３６】
シルク粉末含有アパタイト被覆二酸化チタンでは、二酸化チタン表面がアパタイトで被覆されているが、アパタイト内部での光の屈折等の影響により、二酸化チタン単体の場合に比べ、光触媒活性が上昇することが確認されている。また、二酸化チタンに被覆されたアパタイトにより、空気中の汚染物である有機物が吸着されやすくなり、アパタイトで吸着した有機物を二酸化チタンにより効率的に分解することができると考えられる。
【００３７】
さらに、シルク粉末含有アパタイト被覆二酸化チタンでは、シルク粉末２１１の添加により、アパタイト粉末２１２及び二酸化チタン粉末２１３の凝集を抑制することができるため、アパタイト粉末２１２及び二酸化チタン粉末２１３表面での吸着及び分解反応が効率的に進行するため、より優れた空気浄化効果を得ることができる。
【００３８】
本実施形態では、金属酸化物としては、酸化チタン（二酸化チタン）を用いたが、酸化亜鉛、酸化スズ、酸化鉄、酸化ジルコニウム、酸化タングステン、酸化クロム、酸化モリブデン、酸化ルテニウム、酸化ゲルマニウム、酸化鉛、酸化カドミウム、酸化銅、酸化バナジウム、酸化ニオブ、酸化タンタル、酸化マンガン、酸化コバルト、酸化ロジウム、酸化レニウム、酸化ビスマス、チタン酸ストロンチウムから選ばれる少なくとも1種類の酸化物を用いることもできる。ただし、空気浄化性能、取り扱いやすさ等の観点からは、酸化チタンを用いるのが好ましい。
【００３９】
本発明の可視光応答型光触媒の平均粒子径は、３０ｎｍ〜５００ｎｍであることが好ましく、５０ｎｍ〜２００ｎｍであることがより好ましい。従来の光触媒の平均粒子径は、３〜６ｎｍ程度と微細であるため、空気中に飛散した場合、毛細血管や皮膚を通して体内に入る可能性があることが指摘されていた。光触媒２１の平均粒子径を上記範囲とすることにより、例え、光触媒２１が空気中に飛散した場合でも、粒子径が大きく、体内に吸収されないため、安全である。なお、光触媒２１の平均粒子径は、透過型顕微鏡観察写真から算出することができる。
【００４０】
（２）多孔質担体２０
多孔質担体２０の材料は、上述した光触媒２１を担持し、且つ、外部からの光が光触媒２１に好適に到達することを妨げない材料であれば、特に限定されない。ただし、光触媒２１への光の到達、有機物の吸着特性及びコスト等を考慮すると発泡ガラス２２１を用いることが好ましい。
【００４１】
発泡ガラス２２１としては、特に限定されないが、ガラス瓶又は、ガラス瓶と貝殻の混合物を、１０００℃程度で焼成して得られる発泡ガラス２２１等を用いることができる。ガラス瓶と貝殻の混合物から得られる発泡ガラス２２１の市販品としては、ポーラスアルファ（株式会社鳥取再資源化研究所製）等が挙げられる。
【００４２】
図１６に、本発明の一実施形態において多孔質担体として用いられる発泡ガラス２２１の模式図を示す。１ｃｍ〜５ｃｍ程度の塊状の発泡ガラス２２１の表面には、数μｍ〜数ｍｍ程度の大小さまざまな細孔２２２が形成されている。
【００４３】
上記ガラス瓶と貝殻の混合物から得られる発泡ガラス２２１に、シルク粉末含有アパタイト被覆二酸化チタンに担持した場合、発泡ガラス２２１には、貝殻に由来するアパタイトが含有されているため、光触媒２１及び多孔質担体２０のいずれもアパタイトを含有した構成となる。これにより、多孔質担体２０と光触媒２１の密着性が向上するため、光触媒２１の飛散が抑制され、より長期にわたって、優れた空気浄化効果を得ることができる。また、光触媒２１及び多孔質担体２０の双方のアパタイトにより、空気中の汚染物である有機物が吸着され、光触媒２１中の二酸化チタン上での有機物の分解が効果的に進行するため、より優れた空気浄化作用を奏する。さらに、光触媒２１中のアパタイト及び多孔質担体２０中のアパタイトの双方での光の屈折の相乗効果により、より優れた光触媒活性が得られる。
【００４４】
（３）光触媒２１を担持した多孔質担体２０
本発明では、発泡ガラス２２１等の多孔質担体２０に、シルク粉末含有アパタイト被覆二酸化チタンを吹き付けるのみで光触媒２１を担持することができる。そのため、光触媒２１の飛散等により、空気清浄機１の性能が低下した場合には、光触媒２１を再度吹き付けるのみで、手軽に再生することができる。
【００４５】
また、発泡ガラス２２１及びシルク粉末含有アパタイト被覆二酸化チタンを用いる本発明では、いずれの材料も環境負荷が小さく、人体等への安全性にも優れている。そのため、使用済みの光触媒担持多孔質担体は、道路等の舗装材料や溶鉱炉の壁用材料として用いることもでき、この場合も、空気の浄化作用が得られる。また、使用済みの光触媒担持多孔質担体は、安全なため、海、河川等水中に投入したり、土壌に埋めることもでき、この場合は、水や土壌の浄化にも役立つ。
【００４６】
以上のとおり、本発明の空気清浄機１は、構造が簡単で、コンパクトで、紫外線照射手段が要らずメンテナンスが不要で持ち運びも便利である。さらに光触媒２１や多孔質担体材料を選択することにより、安全性にも優れ安価となる。このため、大気汚染が深刻な国や地方に手軽に適用できるという点で、本発明の有用性は極めて高いと考えられる。
【００４７】
なお、本発明は、上述した実施形態に限定されず特許請求の範囲内において種々の変形実施および応用実施が可能であることは勿論である。すなわち、上述した実施形態にあっては、充填体３０を一つとした空気清浄機１について説明したが、図１７に示すように、送風される空気の送風方向に沿って複数を直列に配置することとしてもよい。この場合にあっては、例えば、一方の汚れた充填体３０を取り出して洗浄しながら他方の充填体３０により空気清浄を行う等、充填体３０のメンテナンス時においても連続した空気清浄機１の運転が可能であり好ましい。洗浄は、水洗または掃除機を用いて行うことができる。
【００４８】
また、上述した実施形態においては送風機７０による空気の流れは下側から上側に向かうこととして下側に吸気部５０、上側に排気部６０を形成することとしているが、空気の流れを上側から下側に向かうこととして上側に吸気部５０、下側に排気部６０を形成することとしてもよい。
【００４９】
更に、上述した実施形態においては囲い４０の枠体４２に板材４３を装着することとしているが、板材４３に代えてフィルム状のシート材とすることができる。シート材とする場合は、例えばビニールシートを用いることができるが、外部の光より詳しくは紫外線が光触媒２１に到達して、光触媒２１が光励起する材料であれば、特に、材料は限定されない。シート材を用いる場合は、柵体３５に該シート材を所要に巻き付けて装着する。
【符号の説明】
【００５０】
１：空気清浄機
２０：光触媒が担持された多孔質担体
２１：光触媒
２１１：シルク粉末
２１２：リン酸カルシウム（アパタイト）粉末
２１３：二酸化チタン粉末
２２：多孔質担体
２２１：発泡ガラス
２２２：細孔
３０：充填体
３１：袋
３２：開口
３５：柵体
３６：柵状体
３７：開口
３８：連結部材
３８ａ：頭部
３８ｂ：長尺部
３８ｃ：貫通穴
３８ｄ：平坦側
３８ｅ：突出側
４０：囲い
４１：板状体
４２：枠体
４３：板材
４４：隅部
４５：連結部材
４５ａ：頭部
４５ｂ：長尺部
４５ｃ：貫通穴
４５ｄ：平坦側
４５ｅ：突出側
５０：吸気部
６０：排気部
７０：送風機
７１：回転軸
７２：旋回羽根
７３：枠体
７４：案内板
７４ａ：くり抜き部
７５：連結部材
７５ａ：頭部
７５ｂ：長尺部
７５ｃ：貫通穴
７５ｄ：平坦側
７５ｅ：突出側
【図１】
2019032105.tif 000003
【図２】
2019032105.tif 000004
【図３】
2019032105.tif 000005
【図４】
2019032105.tif 000006
【図５】
2019032105.tif 000007
【図６】
2019032105.tif 000008
【図７】
2019032105.tif 000009
【図８】
2019032105.tif 000010
【図９】
2019032105.tif 000011
【図１０】
2019032105.tif 000012
【図１１】
2019032105.tif 000013
【図１２】
2019032105.tif 000014
【図１３】
2019032105.tif 000015
【図１４】
2019032105.tif 000016
【図１５】
2019032105.tif 000017
【図１６】
2019032105.tif 000018
【図１７】
2019032105.tif 000019